(57)【特許請求の範囲】
【請求項１】
通常の消費電力で動作する通常電力モード、及び前記通常の消費電力より少ない電力で待機する省電力モードを有する画像形成システムであって、
ネットワーク回線を介さずに所定の起動プログラムを供給自在な第１記憶手段と、
ネットワーク回線を介して起動プログラムを供給自在な第２記憶手段と、
前記通常電力モードの設定時に、前記第１記憶手段及び第２記憶手段の中から選択したいずれかの記憶手段から起動プログラムを取得し、起動プログラムに基づいて、記録媒体に画像を形成する画像形成部を起動させる制御部と、
前記通常電力モードと前記省電力モードとを切り換える切換部であって、前記通常電力モードにおいて所定時間所定の信号の入力がない場合に前記通常電力モードから前記省電力モードへ切り換える自動切換処理を実行する切換部と、を備え、
前記制御部は、まず前記第１記憶手段を選択し、前記第１記憶手段から起動プログラムを取得できない場合に、次に前記第２記憶手段を選択し、前記第２記憶手段を選択した場合に前記自動切換処理の実行を禁止するように前記切換部を制御する画像形成システム。
【請求項２】
前記第１記憶手段は、前記制御部を含む装置本体に固定された第１記憶部と、前記装置本体に固定された接続部に着脱自在に装着された第２記憶部とを含み、
前記制御部は、まず前記第１記憶部を選択し、前記第１記憶部から起動プログラムを取得できない場合に、次に前記第２記憶部を選択する請求項１に記載の画像形成システム。
【請求項３】
外部からのジョブデータの受信を検出する受信検出部であって、ジョブデータの受信を検出した際にジョブデータの受信を検出した旨の受信通知信号を前記切換部へ出力する受信検出部をさらに備え、
前記切換部は、前記省電力モードにおいて受信通知信号が入力された場合に前記省電力モードから前記通常電力モードへ切り換える請求項１又は２に記載の画像形成システム。
【請求項４】
ユーザに種々の情報を通知する通知部をさらに備え、
前記制御部は、前記自動切換処理の実行を禁止する際に前記自動切換処理の実行を禁止する旨を前記通知部に通知させる請求項１から３のいずれかに記載の画像形成システム。
【発明の詳細な説明】
【技術分野】
【０００１】
この発明は、消費電力を低減する省電力モードを有する画像形成システムに関し、特に、ネットワーク回線を介さずに所定の起動プログラムを供給自在な第１記憶手段とネットワーク回線を介して起動プログラムを供給自在な第２記憶手段とを備える画像形成システムに関する。
【背景技術】
【０００２】
画像形成システム等の情報処理システムの中には、通常の消費電力で動作する通常電力モードと、通常の消費電力より少ない電力で待機する省電力モードとを備えたものがある（例えば、特許文献１参照）。
【０００３】
このような情報処理システムは、ＨＤＤ（Hard Disk Drive）等の記憶装置を装置本体内に備え、従来の情報処理システムでは、処理部を起動させる起動プログラムをＨＤＤから取得するのが一般的である。
【特許文献１】特開２００１−１０３１９５公報
【発明の開示】
【発明が解決しようとする課題】
【０００４】
しかし、ＨＤＤの故障や寿命によってＨＤＤから起動プログラムを取得できない場合に備えて、起動プログラムを供給する記憶手段をＨＤＤとは別に備えていることが好ましい。ＨＤＤとは別の記憶手段として、ネットワーク回線を介して接続されたサーバが挙げられる。
【０００５】
ところが、ネットワーク回線を介して起動プログラムを取得する場合、ＨＤＤから起動プログラムを取得する場合と比較して、起動プログラムの取得開始から実行までの起動準備時間が長くなる虞がある。
【０００６】
一方、起動準備時間が長くなると、ファックス通信等で外部からジョブデータを受信する際に、ジョブデータの受信を検出してから、省電力モードから通常電力モードへ切り換えていたのでは、処理部の起動が完了するまでに、受信側から送信側への応答が所定時間内にできないことによってジョブデータを受信できない受信エラーが発生する虞がある。
【０００７】
なお、特許文献１に係る技術は、用紙カセットやトナーカートリッジの交換作業中に省電力モードへ切り換わることによってエラーメッセージが表示されない事態の防止を図るものであり、ネットワーク回線を介して起動プログラムを取得する構成についての技術ではない。したがって、特許文献１に係る技術では、処理部の起動の完了が遅れることによるエラーの発生を抑制することはできない。
【０００８】
この発明の目的は、処理部（画像形成部）の起動の完了が遅れることによるエラーの発生を抑制できる画像形成システムを提供することにある。
【課題を解決するための手段】
【０００９】
この発明の画像形成システムは、通常の消費電力で動作する通常電力モード、及び通常の消費電力より少ない電力で待機する省電力モードを有する画像形成システムであって、第１記憶手段、第２記憶手段、制御部、及び切換部を備える。第１記憶手段は、ネットワーク回線を介さずに所定の起動プログラムを供給自在である。第２記憶手段は、ネットワーク回線を介して起動プログラムを供給自在である。制御部は、通常電力モードの設定時に、第１記憶手段及び第２記憶手段の中から選択したいずれかの記憶手段から起動プログラムを取得し、起動プログラムに基づいて、記録媒体に画像を形成する画像形成部を起動させる。切換部は、通常電力モードと省電力モードとを切り換える切換部であって、通常電力モードにおいて所定時間所定の信号の入力がない場合に通常電力モードから省電力モードへ切り換える自動切換処理を実行する。制御部は、まず第１記憶手段を選択し、第１記憶手段から起動プログラムを取得できない場合に、次に第２記憶手段を選択し、第２記憶手段を選択した場合に自動切換処理の実行を禁止するように切換部を制御する。
【００１０】
この構成では、起動プログラムの取得先として第２記憶手段を選択した場合は、省電力モードへ自動切換処理されないように制御されるので、画像形成部での処理要求を受け付けた際は常に通常電力モードとなっており、画像形成部の起動が完了した状態となっている。このように、画像形成部での処理要求を受け付けてから起動プログラムを取得開始して実行する場合より、処理要求の受付時から画像形成部の起動が完了するまでの待機時間が短くなる。
【００１１】
まず、第１記憶手段を選択し、第１供給部から起動プログラムを取得できる場合は、自動切換処理の実行を禁止せず、所定時間所定の信号の入力がない場合は通常電力モードから省電力モードへ切り換えることで、画像形成部の起動の完了が遅れることによるエラーの発生を抑制できるとともに、省電力化を図ることができる。また、第１記憶手段から起動プログラムを取得できない場合は、第２記憶手段を選択し、自動切換処理の実行を禁止することで、処理要求の受付時から画像形成部の起動が完了するまでの待機時間を短縮化し、画像形成部の起動の完了が遅れることによるエラーの発生を抑制することができる。
【００１２】
また、第１記憶手段は、制御部を含む装置本体に固定された第１記憶部と、装置本体に固定された接続部に着脱自在に装着された第２記憶部とを含み、制御部は、まず第１記憶部を選択し、第１記憶部から前記起動プログラムを取得できない場合に、次に第２記憶部を選択するように構成されていてもよい。第１記憶部及び第２記憶部はともに、ネットワーク回線を介することなく制御部に接続されている。第１記憶部は常に制御部に接続されており、第１記憶部が故障等していない場合は最も起動プログラムを取得できる可能性が高い。また、第２記憶部は接続部に着脱自在であるが、接続部に装着されている場合は上述のようにネットワーク回線を介することなく制御部に接続されている。このため、まずは第１記憶部から起動プログラムの取得を試みて、第１記憶部から起動プログラムを取得できない場合に、第２記憶部から起動プログラムの取得を試みるようにすることで、起動プログラムの取得を最初に試みてから実行するまでの時間を短縮化できる。
【００１３】
さらに、外部からのジョブデータの受信を検出する受信検出部であって、ジョブデータの受信を検出した際にジョブデータの受信を検出した旨の受信通知信号を切換部へ出力する受信検出部をさらに備え、切換部は、省電力モードにおいて受信通知信号が入力された場合に省電力モードから通常電力モードへ切り換えるように構成されていてもよい。省電力モードになっている場合は第１記憶手段から起動プログラムを取得できる可能性が高い。このため、所定時間所定の信号の入力がない場合は通常電力モードから省電力モードへ切り換えておくことで省電力化を図ることができるとともに、ジョブデータの受信を検出した場合は第１記憶手段から起動プログラムを取得することで、ジョブデータの受信の検出時から画像形成部の起動が完了するまでの待機時間を短縮化でき、画像形成部の起動の完了が遅れることによるエラーの発生を抑制できる。
【００１４】
また、ユーザに種々の情報を通知する通知部をさらに備え、制御部は、自動切換処理の実行を禁止する際に自動切換処理の実行を禁止する旨を通知部に通知させるように構成されていてもよい。自動切換処理の実行が禁止されていることがユーザに通知されるので、ユーザは、自動切換処理されないこと、及び、第１記憶手段から起動プログラムを取得できない状態であることに、対応することができる。例えば、所定時間使用しないことが予め分かっている場合に手動で省電力モードにすることや電源をオフにすることで、省電力化できる。また、第１記憶手段のメンテナンスを行うことで、処理要求の受付時から画像形成部の起動が完了するまでの待機時間を短縮化することができる。
【発明の効果】
【００１６】
この発明によれば、起動プログラムの取得先として第２記憶手段を選択した場合は通常電力モードから省電力モードへ自動切換処理されないように制御しておくことで、処理要求の受付時から画像形成部の起動が完了するまでの待機時間を短縮化できる。したがって、画像形成部の起動の完了が遅れることによるエラーの発生を抑制することができる。
【発明を実施するための最良の形態】
【００１７】
以下に、この発明を実施するための最良の形態について、図面に基づいて説明する。図１は、この発明の実施形態に係る情報処理システム１０のブロック図である。
【００１８】
情報処理システム１０は、第１スイッチング電源２１、第２スイッチング電源２２、モード切換スイッチ２３、メインブレーカ２４、第１機器群３０、第２機器群４０、及びサーバ５２を備えている。
【００１９】
第１スイッチング電源２１、第２スイッチング電源２２、モード切換スイッチ２３、メインブレーカ２４、第１機器群３０、及び第２機器群４０のそれぞれは、装置本体の一部を構成し、装置本体内の所定箇所に固定されている。
【００２０】
第１スイッチング電源２１は、モード切換スイッチ２３及びメインブレーカ２４を介して商用電源２５に接続されている。メインブレーカ２４は、ユーザによってオン又はオフに切り換えられる。メインブレーカ２４がオフであれば、第１機器群３０、及び第２機器群４０のいずれにも電力が供給されない。以下では、メインブレーカ２４がオンである場合について説明する。
【００２１】
第１スイッチング電源２１は、モード切換スイッチ２３がオンである場合に、第１機器群３０へ所定の電力を供給する。モード切換スイッチ２３がオフにされると、第１機器群３０へ電力が供給されない。
【００２２】
第２スイッチング電源２２は、メインブレーカ２４を介して商用電源２５に接続されている。第２スイッチング電源２２は、メインブレーカ２４がオンである場合に、第２機器群４０へ所定の電力を供給する。
【００２３】
情報処理システム１０は、例えば画像形成システムに備えられる。情報処理システム１０は、動作モードとして、通常電力モード、及び省電力モードを有している。通常電力モードでは、第１機器群３０及び第２機器群４０の両方に電力が供給される。省電力モードでは、第２機器群４０には電力が供給されるが、第１機器群３０には電力が供給されない。このように、省電力モードでは、通常電力モードにおける消費電力より少ない電力が消費される。モード切換スイッチ２３がオフからオンにされることで省電力モードから通常電力モードへ切り換えられ、モード切換スイッチ２３がオンからオフにされることで通常電力モードから省電力モードへ切り換えられる。
【００２４】
第１機器群３０は、メインコントローラ３１、ＲＯＭ３２、ＲＡＭ３３、操作部３４、通知部３５、ＨＤＤ（Hard Disk Drive）３６、ＵＳＢコントローラ３７、ＮＩＣ（NetworkInterface Card）３８、処理部３９を含む。
【００２５】
メインコントローラ３１は、この発明の制御部に相当し、第１機器群３０を統括的に制御する。メインコントローラ３１は、モード切換スイッチ２３がオンされると、まずＲＯＭ３２からブートローダと呼ばれるプログラムを取得する。メインコントローラ３１は、ブートローダに基づいて、処理部３９を起動させる起動プログラムを取得する。
【００２６】
操作部３４は、ユーザによる入力操作を受け付ける。通知部３５は、ユーザに種々の情報を通知する。通知部３５は、この実施形態では液晶表示パネル等の表示装置であるが、音声出力装置や光信号出力装置であってもよい。なお、操作部３４及び通知部３５を、例えば液晶タッチパネルのように１個の部材で具現化することもできる。
【００２７】
ＨＤＤ３６、及びＵＳＢメモリ５１は、この発明の第１記憶手段に相当し、ネットワーク回線を介することなくメインコントローラ３１に内部接続されている。ＨＤＤ３６は、この発明の第１記憶部に相当し、起動プログラムをメインコントローラ３１へ供給自在に記憶している。ＵＳＢコントローラ３７は、この発明の接続部に相当する。ＵＳＢコントローラ３７には、ＵＳＢメモリ５１等のＵＳＢデバイスが着脱自在に装着される。ＵＳＢコントローラ３７は、装着されたＵＳＢデバイスとの通信を行う。ＵＳＢメモリ５１は、この発明の第２記憶部に相当し、起動プログラムを記憶しており、ＵＳＢコントローラ３７に装着されている際に、起動プログラムをメインコントローラ３１へ供給自在である。
【００２８】
ＮＩＣ３８は、メットワーク回線を介してサーバ５２に接続されている。サーバ５２は、この発明の第２記憶手段に相当し、ＮＩＣ３８及びネットワーク回線を介してメインコントローラ３１に接続されている。サーバ５２は、起動プログラムをメインコントローラ３１へ供給自在に記憶している。
【００２９】
処理部３９は、この実施形態では、記録媒体に画像を形成する画像形成部である。処理部３９は、帯電工程、露光工程、現像工程、転写工程、及び定着工程を含む電子写真方式の画像形成処理を行うことで、用紙等の記録媒体に画像データに基づく画像を形成する。なお、処理部３９は、画像データに基づいて記録媒体にインク滴を塗布することで画像を形成するインクジェット方式の画像形成部等であってもよい。
【００３０】
第２機器群４０は、ＰＩＣ（Peripheral InterfaceController）４１、ファックスインタフェース４２、電源スイッチ４３、及びタイマ４４を含む。ＰＩＣ４１は、発明の切換部に相当する。ファックスインタフェース４２は、この発明の受信検出部に相当する。
【００３１】
ファックスインタフェース４２は、電話回線網５３に接続されており、ファックス通信に係るジョブデータの受信を検出する。ジョブデータは画像データを含む。ファックスインタフェース４２は、ジョブデータの受信を検出した際に、ジョブデータの受信を検出した旨の受信通知信号をＰＩＣ４１へ出力する。タイマ４４は、ＰＩＣ４４へ時間情報を出力する。電源スイッチ４３は、ユーザによってオン又はオフに切り換えられる。電源スイッチ４３のオンとオフとの切り換えによって、ユーザの所望のタイミングで、通常電力モードと省電力モードとが切り換えられる。
【００３２】
ＰＩＣ４１は、ユーザによる電源スイッチ４３のオンとオフとの切り換えを検出する。ＰＩＣ４１は、必要に応じてモード切換スイッチ２３のオンとオフとを切り換える。
【００３３】
ＰＩＣ４１は、電源スイッチ４３がオンからオフにされるとモード切換スイッチ２３をオンからオフへ切り換えることで、動作モードを通常電力モードから省電力モードへ切り換える。ＰＩＣ４１は、電源スイッチ４３がオフからオンにされるとモード切換スイッチ２３をオフからオンへ切り換えることで、動作モードを省電力モードから通常電力モードへ切り換える。
【００３４】
ＰＩＣ４１は、通常電力モードにおいて所定時間継続して所定の禁止要因がない場合、モード切換スイッチ２３をオンからオフへ切り換えることで、動作モードを通常電力モードから省電力モードへ切り換える。通常電力モードにおいて所定時間継続して所定の禁止要因がない場合に通常電力モードから省電力モードへ切り換える処理を、この発明では自動切換処理という。所定の禁止要因には、例えば、操作部３４からの入力操作、及びファックスインタフェース４２からの受信通知信号の入力が、含まれる。
【００３５】
ＰＩＣ４１は、省電力モードにおいてファックスインタフェース４２から受信通知信号が入力されると、モード切換スイッチ２３をオフからオンへ切り換えることで、動作モードを省電力モードから通常電力モードへ切り換える。
【００３６】
図２は、メインコントローラ３１の処理手順を示すフローチャートである。
【００３７】
メインコントローラ３１は、モード切換スイッチ２３がオフからオンへ切り換えられると、ＲＯＭ３２からブートローダを取得し、ブートローダに基づいて次のような処理を行うことで、ＨＤＤ３６、ＵＳＢメモリ５１、又はサーバ５２のいずれかから起動プログラムを取得し、起動プログラムに基づいて処理部３９を起動させる。
【００３８】
メインコントローラ３１は、起動プログラムの供給先として、まずＨＤＤ３６を選択し、ＨＤＤ３６から起動プログラムを取得できない場合に、次にＵＳＢメモリ５１を選択し、ＵＳＢメモリ５１から起動プログラムを取得できない場合に、次にサーバ５２を選択する。
【００３９】
メインコントローラ３１は、ＨＤＤ３６にアクセスし（Ｓ１）、ＨＤＤ３６から起動プログラムを取得できると判定した場合（Ｓ２）、ＨＤＤ３６から起動プログラムを取得し（Ｓ３）、起動プログラムを実行する（Ｓ４）。
【００４０】
メインコントローラ３１は、ＨＤＤ３６から起動プログラムを取得できないと判定した場合（Ｓ２）、ＵＳＢメモリ５１にアクセスし（Ｓ５）、ＵＳＢメモリ５１から起動プログラムを取得できると判定した場合（Ｓ６）、ＵＳＢメモリ５１から起動プログラムを取得し（Ｓ７）し、起動プログラムを実行する（Ｓ４）。
【００４１】
メインコントローラ３１は、ＵＳＢメモリ５１から起動プログラムを取得できないと判定した場合（Ｓ６）、ＰＩＣ４１へ自動切換処理を禁止する禁止コマンドを出力し（Ｓ８）、サーバ５２にアクセスする（Ｓ９）。
【００４２】
メインコントローラ３１は、サーバ５２から起動プログラムを取得できると判定した場合（Ｓ１０）、サーバ５２から起動プログラムを取得し（Ｓ１１）、起動プログラムを実行する（Ｓ４）。
【００４３】
メインコントローラ３１は、サーバ５２から起動プログラムを取得できないと判定した場合（Ｓ１０）、起動プログラムを取得できない旨の取得エラーコマンドをＰＩＣ４１へ出力し（Ｓ１２）、通知部３５へエラー表示する（Ｓ１３）。エラー表示に代えて、音声や光信号によってエラー通知してもよい。
【００４４】
メインコントローラ３１は、起動プログラムを実行すると（Ｓ４）、起動プログラムに基づいて、以下のような処理を行う。メインコントローラ３１は、起動プログラムの取得を完了した旨の取得完了コマンドをＰＩＣ４１へ出力する（Ｓ１４）。
【００４５】
メインコントローラ３１は、ファックスインタフェース４２を介して電話通信網５３からジョブデータが入力されると（Ｓ１５）、ジョブデータに基づいてジョブを実行し（Ｓ１６）、ジョブデータに含まれる画像データに基づいて処理部３９によって用紙に画像を形成する。
【００４６】
図３及び図４は、ＰＩＣ４１の処理手順の一部を示すフローチャートである。
【００４７】
メインブレーカ２４がオフの状態では、モード切換スイッチ２３はオフとなっている。ＰＩＣ４１は、メインブレーカ２４がオンされると、モード切換スイッチ２３をオフからオンへ切り換える（Ｓ２１）。モード切換スイッチ２３がオフからオンへ切り換えられると、第１機器群３０に電力が供給され、図２に示すようにメインコントローラ３１の処理が開始される。
【００４８】
ＰＩＣ４１は、メインコントローラ３１から禁止コマンドが入力され（Ｓ２２）、さらに取得完了コマンドが入力された場合（Ｓ２３）、自動切換処理を行わず、電源スイッチ４３がオンからオフへ切り換えられると（Ｓ２４）、モード切換スイッチ２３をオンからオフへ切り換えることで通常電力モードから省電力モードへ切り換え（Ｓ２５）、電源スイッチ４３がオフからオンへ切り換えられると（Ｓ２４）、モード切換スイッチ２３をオフからオンへ切り換えることで省電力モードから通常電力モードへ切り換える（Ｓ２６）。
【００４９】
禁止コマンドが入力されるのは、メインコントローラ３１が起動プログラムの取得先としてサーバ５２を選択した場合である。メインコントローラ３１が起動プログラムの取得先としてサーバ５２を選択した場合、自動切換処理が行われないので、ジョブデータの受信を検出した際は常に通常電力モードとなっており、処理部３９は起動を完了している。このように、ジョブデータの受信を検出してから起動プログラムを取得開始して実行する場合より、ジョブデータの受信の検出時から処理部３９の起動が完了するまでの待機時間が短縮化する。したがって、処理部３９の起動の完了が遅れることによるエラーの発生が抑制される。
【００５０】
ＰＩＣ４１は、禁止コマンド及び取得完了コマンドがともに入力されず（Ｓ２２）、取得エラーコマンドも入力されない状態では、禁止コマンド、取得完了コマンド、又は取得エラーコマンドのいずれかが入力されるまで待機する（Ｓ２８）。ＰＩＣ４１は、取得エラーコマンドが入力されると（Ｓ２８）、処理を終了する。
【００５１】
ＰＩＣ４１は、禁止コマンドが入力されず（Ｓ２２）、取得完了コマンドが入力された場合は（Ｓ２７）、タイマ４４をリセットし（Ｓ３１）、予め設定されている所定時間が経過したか否か判定する（Ｓ３２）。
【００５２】
ＰＩＣ４１は、Ｓ３１におけるタイマ４４のリセットから所定時間が経過していない場合（Ｓ３２）、動作中フラグの状態を判定し、動作中フラグがオンされた場合は（Ｓ３３）、タイマ４４をリセットする（Ｓ３１）。動作中フラグは、操作部３４からの入力操作や、ファックスインタフェース４２からの受信通知信号の入力等、禁止要因があった際にオンされ、禁止要因がなくなった際にオフされる。
【００５３】
ＰＩＣ４１は、動作中フラグがオフであって（Ｓ３３）、電源スイッチ４３がオフされない状態では（Ｓ３４）、Ｓ３２に戻って所定時間が経過するまで待機する。
【００５４】
ＰＩＣ４１は、Ｓ３１におけるタイマ４４のリセットから所定時間が経過する前に、動作中フラグがオフであって（Ｓ３３）、電源スイッチ４３がオフされた場合（Ｓ３４）、モード切換スイッチ２３をオンからオフへ切り換えることで、通常電力モードから省電力モードへ切り換える（Ｓ３５）。
【００５５】
ＰＩＣ４１は、動作中フラグがオフであって（Ｓ３３）、電源スイッチ４３がオフされないまま、即ち禁止要因がない状態のまま、Ｓ３１におけるタイマ４４のリセットから所定時間が経過すると（Ｓ３２）、モード切換スイッチ２３をオンからオフへ切り換え（Ｓ３５）、自動切換処理を行う。
【００５６】
上述のように、メインコントローラ３１は、起動プログラムの供給先として、まずＨＤＤ３６を選択し、ＨＤＤ３６から起動プログラムを取得できない場合にＵＳＢメモリ５１を選択する。ＨＤＤ３６又はＵＳＢメモリＨＤＤ３６から起動プログラムを取得可能な場合は、自動切換処理の実行を禁止せず、所定時間所定の禁止要因がない場合は通常電力モードから省電力モードへ切り換えることで、処理部３９の起動の完了が遅れることによるエラーの発生が抑制されるとともに、省電力化が図られる。
【００５７】
また、ＨＤＤ３６は、常にメインコントローラ３１に接続されており、ＨＤＤ３６が故障等していない場合は最も起動プログラムを取得できる可能性が高い。また、ＵＳＢメモリ５１はＵＳＢコントローラ３７に着脱自在であるが、ＵＳＢコントローラ３７に装着されている場合は上述のようにネットワーク回線を介することなくメインコントローラ３１に接続されている。このため、まずはＨＤＤ３６から起動プログラムの取得を試みて、ＨＤＤ３６から起動プログラムを取得できない場合に、ＵＳＢメモリ５１から起動プログラムの取得を試みるようにすることで、起動プログラムの取得を最初に試みてから実行するまでの時間が短縮化される。
【００５８】
ＰＩＣ４１は、省電力モードにおいて受信通知信号が入力されると（Ｓ３６）、モード切換スイッチ２３をオフからオンに切り換えることで、省電力モードから通常電力モードへ切り換え（Ｓ３７）、タイマ４４をリセットする（Ｓ３１）。
【００５９】
ＰＩＣ４１は、省電力モードにおいて、受信通知信号の入力がなく（Ｓ３６）、電源スイッチ４３がオンされない状態では（Ｓ３８）、受信通知信号の入力待ち状態で待機し（３６）、電源スイッチ４３がオンされた場合は（Ｓ３８）、モード切換スイッチ２３をオフからオンに切り換えることで、省電力モードから通常電力モードへ切り換える（Ｓ３７）。
【００６０】
省電力モードになっている場合はＨＤＤ３６又はＵＳＢメモリ５１から起動プログラムを取得できる可能性が高い。このため、所定時間所定の禁止要因がない場合は通常電力モードから省電力モードへ切り換えておくことで、省電力化が図られる。また、ジョブデータの受信を検出した場合は、省電力モードから通常電力モードへ切り換えて、ＨＤＤ３６又はＵＳＢメモリ５１から起動プログラムを取得することで、ジョブデータの受信の検出時から処理部３９の起動が完了するまでの待機時間が短縮化され、処理部３９の起動の完了が遅れることによるエラーの発生が抑制される。
【００６１】
なお、メインコントローラ３１は、Ｓ８で自動切換処理の禁止コマンドを出力する場合、自動切換処理の実行を禁止する旨を通知部３５に表示する。
【００６２】
自動切換処理の実行が禁止されていることがユーザに通知されるので、ユーザは、自動切換処理されないこと、並びに、ＨＤＤ３６及びＵＳＢメモリ５１から起動プログラムを取得できない状態であることに、対応することができる。例えば、所定時間使用しないことが予め分かっている場合に電源スイッチ４３によって省電力モードにすることやメインブレーカ２４をオフにすることで、省電力化できる。また、ＨＤＤ３６及びＵＳＢメモリ５１をメンテナンスすることで、ジョブデータの受信の検出時から処理部３９の起動が完了するまでの待機時間を短縮化することができる。
【００６３】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００６４】
【図１】この発明の実施形態に係る情報処理システムのブロック図である。
【図２】メインコントローラの処理手順を示すフローチャートである。
【図３】ＰＩＣの処理手順の一部を示すフローチャートである。
【図４】ＰＩＣの処理手順の一部を示すフローチャートである。
【符号の説明】
【００６５】
１０  情報処理システム
２３  モード切換スイッチ
２４  メインブレーカ
２５  商用電源
３０  第１機器群
３１  メインコントローラ（制御部）
３５  通知部
３６ＨＤＤ（第１供給部、第１記憶部）
３７ＵＳＢコントローラ（接続部）
３９  処理部
４０  第２機器群
４１  ＰＩＣ（切換部）
４２  ファックスインタフェース（受信検出部）
４３  電源スイッチ
４４  タイマ
５１  ＵＳＢメモリ（第１供給部、第２記憶部）
５２  サーバ
５３  電話回線網
【図１】
0004881901.tif 000002
【図２】
0004881901.tif 000003
【図３】
0004881901.tif 000004
【図４】
0004881901.tif 000005